(57)【要約】【課題】  ハンドルの摘みを挟持している指を通して魚の微妙な当りを効果的に且つ明確に感知することができる魚釣用リールのハンドルの提供を目的としている。【解決手段】  本発明は、リール本体の駆動軸に結合されるハンドルアーム５ａと、ハンドルアーム５ａの端部に固定された支軸２０と、支軸２０に回転自在に抜け止めされたハンドル摘み５ｂとを有する魚釣用リールのハンドル５において、ハンドル摘み５ｂは、支軸２０に回転自在に抜け止め装着される筒軸２６と、筒軸２６の外周面に被覆される摘み本体２２とによって構成され、指で挟持される摘み本体２２の挟持領域の一部には開口部２４が形成され、この開口部２４は、開口部２４を通じて指が筒軸２６の外表面と接触できるように筒軸２６の外表面を露出させることを特徴とする。【選択図】図３
2006061123.tif 000002
【特許請求の範囲】
【請求項１】
魚釣用リールのリール本体の駆動軸に結合されるハンドルアームと、該ハンドルアームの端部に固定された支軸と、該支軸に回転自在に抜け止めされたハンドル摘みとを有する魚釣用リールのハンドルにおいて、
前記ハンドル摘みは、前記支軸に回転自在に抜け止め装着される筒軸と、該筒軸の外周面に被覆される摘み本体とによって構成され、
指で挟持される前記摘み本体の挟持領域の一部には開口部が形成され、この開口部は、該開口部を通じて指が前記筒軸の外表面と接触できるように前記筒軸の外表面を露出させることを特徴とする魚釣用リールのハンドル。
【請求項２】
前記開口部は、前記筒軸の外表面に達するように前記摘み本体の材料を除去することによって形成されていることを特徴とする請求項１に記載の魚釣用リールのハンドル。
【請求項３】
前記筒軸は、前記支軸の略全長にわたって装着されていることを特徴とする請求項１または請求項２に記載の魚釣用リールのハンドル。
【請求項４】
前記筒軸は、前記摘み本体よりも硬質な材料で形成されるとともに、前記支軸に対して軸受を介して回転自在に支持されていることを特徴とする請求項１ないし請求項３のいずれか１項に記載の魚釣用リールのハンドル。
【発明の詳細な説明】
【技術分野】
【０００１】
本発明は、魚釣用リールのリール本体の駆動機構に連結され、釣糸の巻き取り操作を行なうためのハンドルの改良に関する。
【背景技術】
【０００２】
魚釣り、特に投げ釣りにおいて、釣人は、多くの場合、目的のポイントへ仕掛けを放出して着水させた後、魚釣用リールのハンドルの回転操作により釣糸の巻き取り速度を加減しつつ仕掛けを手前に取り込みながら、ハンドルの摘みを挟持している指を通して魚の当りを感知しようとする。
【０００３】
しかしながら、魚の当り（魚が仕掛けに掛かった際に釣糸を通じて伝わる振動）が微妙であることに加え、ハンドルの摘みは、ゴム、軟質樹脂、コルク等の緩衝作用を有する材料で形成されつつハンドルの支軸の外周に回転自在に支持されているため、ハンドルの摘みを挟持している指を通して魚の当りを感知することは一般に難しい。
【０００４】
そこで、指で挟持されるハンドル摘みの挟持領域に感知部材を露出させると共に、この感知部材をハンドルアームと一体の前記支軸に接触係合させることにより、ハンドルの摘みを指で挟持する時に指が感知部材に触れるようにするとともに、感知部材を通じて魚の当りを感知できるようにした技術が特許文献１に開示されている。
【特許文献１】特開平９−１９１８０２号公報
【発明の開示】
【発明が解決しようとする課題】
【０００５】
しかしながら、特許文献１に開示される技術では、ハンドル摘みが肉厚であり、しかも、その肉厚のハンドル摘みの外表面で感知部材の外表面を露出させているため、魚の当りがほぼダイレクトに伝わるハンドルの支軸から感知部材の外表面までの距離、言うなれば、振動源から感知部材に触れる指までの距離が遠くなってしまう。そのため、魚の当りに対する感度を感知部材によって効果的に向上できるとは言い難い。
【０００６】
また、前記感知部材は、前記支軸の外周に摺接した状態となっているため、感知部材と支軸との間の摩擦抵抗作用によってハンドル摘みの回転が重くなるばかりか、摩擦のザラツキ（ノイズ）を拾ってしまう結果となり、感知部材の存在によって感度がかえって悪くなってしまうことも考えられる。そのため、微妙な魚の当りを確実に感知できるとは言い難い。この場合、摩擦ノイズが生じないように平滑面で感知部材と支軸とを摺接させることも考えられるが、長期間の使用によって感知部材が摩耗してしまい、その結果、感知性が悪くなるといった事態も生じ得る。
【０００７】
本発明は、前記事情に着目してなされたものであり、その目的とするところは、ハンドルの摘みを挟持している指を通して魚の微妙な当りを効果的に且つ明確に感知することができる魚釣用リールのハンドルを提供することにある。
【課題を解決するための手段】
【０００８】
前記課題を解決するために、本発明は、魚釣用リールのリール本体の駆動軸に結合されるハンドルアームと、該ハンドルアームの端部に固定された支軸と、該支軸に回転自在に抜け止めされたハンドル摘みとを有する魚釣用リールのハンドルにおいて、前記ハンドル摘みは、前記支軸に回転自在に抜け止め装着される筒軸と、該筒軸の外周面に被覆される摘み本体とによって構成され、指で挟持される前記摘み本体の挟持領域の一部には開口部が形成され、この開口部は、該開口部を通じて指が前記筒軸の外表面と接触できるように前記筒軸の外表面を露出させることを特徴とする。
【発明の効果】
【０００９】
本発明に係る魚釣用リールのハンドルによれば、ハンドルの摘みを挟持している指を通して魚の微妙な当りを効果的に且つ明確に感知することができる。
【発明を実施するための最良の形態】
【００１０】
以下、図面を参照しながら、本発明の一実施形態について説明する。  
図１〜図６には、本発明の一実施形態が示されている。図１および図２に示されるように、本実施形態の魚釣用リールとしてのスピニングリール１は、リール本体１ａと、リール本体１ａから延出する脚部１ｂと、脚部１ｂの端部に形成され且つ図示しない釣竿に取り付けられる竿取付部１ｃとを有している。リール本体１ａ内には、ハンドル５が固定される駆動軸としてのハンドル軸２が回転可能に支持されている。ハンドル軸２にはドライブギア３が固定されており、このドライブギア３には、ハンドル軸２に対して直交する方向に延び且つリール本体１ａに軸受を介して回転可能に支持された管状のピニオンギア１３が噛合している。このピニオンギア１３の先端部には、ロータナット３２を介して、ベール６および釣糸案内装置１５を備えたロータ８が一体的に取り付けられている。
【００１１】
ハンドル軸２と直交する方向に延在するスプール軸９がピニオンギア１３を貫通している。この場合、スプール軸９は、ピニオンギア１３と同心的に配されており、ハンドル軸２と直交する方向に沿って前後動できる。また、スプール軸９の先端部には釣糸が巻回されるスプール１０が取り付けられている。
【００１２】
また、ドライブギア３にはピニオンギア１３を介して図示しないオシレーティング機構が係合している。このオシレーティング機構は、ピニオンギア１３と噛み合って回転するウォームシャフト（トラバースカム軸）と、このウォームシャフトの溝と噛み合い且つスプール軸９に対してその軸方向に移動不能に取り付けられたスライダとからなり、ハンドル軸２がハンドル５の回転操作によって回転されると、スプール軸９を軸方向に沿って往復駆動（前後動）する。
【００１３】
このような構成では、ハンドル５を回転操作してハンドル軸２を回転させると、前記オシレーティング機構を介してスプール軸９に取り付けられたスプール１０が前後に往復動するとともに、ドライブギア３およびピニオンギア１３を介してロータ８が回転駆動する。
【００１４】
また、図２に明確に示されるように、ハンドル軸２は、ハンドル５を左右で付け替え可能とするべく、リール本体１ａ内でスプール軸９と交差するように延びている。具体的には、ハンドル軸２の両側部は軸受を介してリール本体１ａに回転可能に支持されるとともに、ハンドル５が固定されるハンドル軸２の左右両端部は、リール本体１ａの左右両側に臨むべく、リール本体１ａの左右両側に形成された開口部に位置決めされている。
【００１５】
一方、ハンドル軸２に着脱自在に取り付けられるハンドル５は、ハンドル軸２に結合されるハンドルアーム５ａと、ハンドルアーム５ａの先端に取り付け固定された支軸２０と、支軸２０に回転自在に抜け止めされたハンドル摘み（ハンドルノブ）５ｂとからなる。図３に明確に示されるように、ハンドル摘み５ｂは、支軸２０に回転自在に抜け止め装着される筒軸２６と、筒軸２６の外周面に被覆される摘み本体２２とによって構成されている。この場合、筒軸２６は、支軸２０の略全長にわたって支軸２０を取り囲むように軸受２８を介して略同軸的に装着されている。
【００１６】
また、筒軸２６は、摘み本体２２よりも硬質な材料によって形成されている。具体的に、筒軸２６は、ハンドルアーム５ａに伝わった振動を支軸２０を介して感度良く受けることができる振動伝達性の高い材料、例えば、金属（アルミニウム、銅合金、ステンレス鋼等に適宜な表面処理を施したもの）、硬質樹脂（ポリアセタール、ナイロン樹脂）等によって形成されており、一方、摘み本体２２は、ウレタンや軟質塩化ビニル（ＰＶＣ）等の軟質樹脂、コルク材（樹脂フィルム状の保護皮膜を外層に被覆）、ゴム材等によって形成されている。
【００１７】
また、指で挟持される摘み本体２２の挟持領域の一部には開口部２４が形成されている。この開口部２４は、開口部２４を通じて指が内側の筒軸２６の外表面と接触できるように筒軸２６の外表面を露出させている。更に具体的には、開口部２４は、筒軸２６の外表面に達するように摘み本体２２の材料（摘み本体２２を形成する材料）を滑らかな湾曲状に除去することによって形成されている。これにより、摘み本体２２の挟持領域には、開口部２４に向かってその周囲から徐々に肉厚が薄くなる凹状湾曲部２２ａが形成されている。
【００１８】
したがって、上記構成においては、ハンドルアーム５ａに伝わった振動が、支軸２０を介して筒軸２６にほぼダイレクトに伝わり、例えば図５および図６に示されるように親指４０と人差し指４２とによって摘み本体２２の挟持領域を挟持した状態では、釣人は、開口部２４を介して筒軸２６と接触する親指４０を通して、魚の微妙な当りを効果的に且つ明確に感知することができる。
【００１９】
以上説明したように、本実施形態のスピニングリール１のハンドル５において、摘み本体２２に形成された開口部２４は、開口部２４を通じて指が筒軸２６の外表面と接触できるように筒軸２６の外表面を露出させている。しかも、開口部２４は、筒軸２６の外表面に達するように摘み本体２２の材料を除去することによって形成されている。すなわち、本実施形態においては、筒軸２６の外周面に摘み本体２２が被覆されるという前提の下、摘み本体２２を挟持する指へと近づくように筒軸２６が開口部２４を通じて支軸２０側から摘み本体２２の外表面に向かって延出する（筒軸２６の外表面が指と接触できるように筒軸２６が開口部２４を通じて摘み本体２２の外表面側へと露出する）のではなく、摘み本体２２を挟持する指を筒軸２６の外表面へと近づけるように摘み本体２２の材料が除去されて開口部２４が形成されている（摘み本体２２を挟持している指が筒軸２６の外表面と接触できるように開口部２４が筒軸２６の外表面を露出させる）ものである。したがって、魚の当りがほぼダイレクトに伝わるハンドル５の支軸２０から筒軸２６の外表面までの距離、言うなれば、振動源から筒軸２６に触れる指までの距離が（特許文献１に比べて）短くなるため、振動感度が向上し、微妙な魚の当りを確実に感知できるようになる。なお、この点で、筒軸２６の肉厚はできる限り薄いことが好ましい。
【００２０】
また、本実施形態において、筒軸２６は、支軸２０の略全長にわたって装着されているため、支軸２０に伝わった振動を効果的に且つ十分に受けることができ、したがって、仮にノイズを拾ってもそのノイズが魚の当りの感度に影響を与えることは殆どなくなる。すなわち、摘み本体２２を挟持している指を通して魚の微妙な当りを効果的に且つ明確に感知することができる。
【００２１】
また、本実施形態において、筒軸２６は、振動伝達性の良好で且つ摘み本体２２よりも硬質な材料で形成されているため、支軸２０に伝わった振動を明確に指に伝えることができる。
【００２２】
また、本実施形態において、筒軸２６は、支軸２０に対して軸受２８を介して回転自在に支持されているため、ハンドル摘み５ｂの良好な握持性（ハンドル摘み５ｂの回転が軽い）の維持を図りながら、ハンドル摘み５ｂを回転操作する際の摩擦のザラツキ等のノイズを低減でき、より高感度の魚信感知が可能になる。
【００２３】
また、本実施形態において、摘み本体２２の挟持領域は、凹状湾曲部２２ａを形成しているため、指で挟持する際の安定感や感触（指のフィット性）が良好である。
【００２４】
なお、本発明は、前述した実施形態に限定されず、その要旨を逸脱しない範囲で種々変形して実施できることは言うまでもない。例えば、前述した実施形態では、筒軸２６と摘み本体２２とが別体であるかのように示されているが、筒軸２６と摘み本体２２とが一体的に形成されていても良い。なお、これらを一体化する手法としては、例えばインサート成形、圧入、接着等を挙げることができる。また、前述した実施形態では、筒軸２６がその略全長にわたって摘み本体２２により被覆されているが、筒軸２６の一部だけが摘み本体２２によって被覆されていても良い。例えば、図７および図８に示されるように、筒軸２６の先端側だけが摘み本体２２によって被覆され、ハンドルアーム５ａから所定の長さにわたって筒軸２６が完全に露出されていても良い。この場合、摘み本体２２のみを挟持する指が筒軸２６と接触できるように、ハンドルアーム５ａ側に面する摘み本体２２の端面を所定の長さにわたって切り欠くことにより、開口部３０が形成されても良い。無論、この場合の開口部３０も前述した実施形態の開口部２４と同様、筒軸２６の外表面に達するように摘み本体２２の材料を滑らかな湾曲状に除去することによって形成される。
【産業上の利用可能性】
【００２５】
本発明は、スピニングリールに限らず、両軸受型リールを含む様々な種類の魚釣用リールに適用することができる。
【図面の簡単な説明】
【００２６】
【図１】本発明の一実施形態が適用される魚釣用スピニングリールの側面図である。
【図２】図１のスピニングリールの背面図である。
【図３】図１のスピニングリールのハンドルにおけるハンドル摘みの断面図である。
【図４】図３のＡ−Ａ線に沿う断面図である。
【図５】図３のハンドル摘みを指で挟持した状態を示す側面図である。
【図６】図５の状態の平面図である。
【図７】ハンドル摘みの変形例に係る側断面図である。
【図８】図７のハンドル摘みの平面図である。
【符号の説明】
【００２７】
１    スピニングリール（魚釣用リール）
１ａ    リール本体
５    ハンドル
５ａ    ハンドルアーム
５ｂ    ハンドル摘み
２０    支軸
２２    摘み本体
２４    開口部
２６    筒軸
２８    軸受
【図１】
2006061123.tif 000003
【図２】
2006061123.tif 000004
【図３】
2006061123.tif 000005
【図４】
2006061123.tif 000006
【図５】
2006061123.tif 000007
【図６】
2006061123.tif 000008
【図７】
2006061123.tif 000009
【図８】
2006061123.tif 000010